Podtech/llm-jp-corpus-v4-ja_patent huggingface dataset:
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
Mas Gタンパク質結合受容体アンタゴニスト及び／又はアゴニストを含んでなる医薬組成物であって、プロテインキナーゼB/Aktの活性の変更を含むアポトーシス活性の調節における使用のための、医薬組成物。
【請求項２】
Mas Gタンパク質結合受容体アンタゴニスト及び／又はアゴニストを含んでなる医薬組成物であって、活性酸素種の産生の調節における使用のための、医薬組成物。
【請求項３】
アンギオテンシン−（１−７）ペプチド、並びに／又はペプチド又は非ペプチドである、その類似体、アゴニスト及び／又はアンタゴニストを含んでなる、病気の予防及び治療における使用のための、請求項１又は２に記載の医薬組成物。
【請求項４】
アポトーシス活性調節物質としてアンギオテンシン−（１−７）並びに／又はその類似体、アゴニスト及び／又はアンタゴニストに対応するペプチド配列をコードするcDNAを含んでなる、病気及び老化により生じる器官の変化の遺伝子治療において使用するための、請求項３に記載の医薬組成物。
【請求項５】
病気及び老化により生じる器官の変化の遺伝子治療における使用のための、請求項４に記載の医薬組成物。
【請求項６】
アポトーシス活性の調節物質としてアンギオテンシン−（１−７）ペプチド、並びに／又はペプチド又は非ペプチドである、その類似体、アゴニスト及び／又はアンタゴニストを含んでなる、老化により生じる器官の変化の予防又は治療において使用するための、請求項１〜５のいずれか１項記載の医薬組成物。
【請求項７】
少なくとも１つのさらなる薬理学的に活性な化合物及び／又は薬学的に許容可能な担体及び／又は賦形剤を含んでなるとともに、前記担体及び／又は賦形剤が、ポリエチレングリコール、非水性ビヒクル、固定油を含有するか又は含有しない、水、食塩水溶液、緩衝液、リンゲル液、デキストロース溶液、Hank溶液、生物適合性食塩水溶液からなる群から選択される、請求項１〜６のいずれか１項記載の医薬組成物。
【請求項８】
経口、筋肉内、静脈内、皮下、局所、経皮、肛門、吸入投与経路のいずれかによるか又は埋め込まれるか若しくは注射されてよいデバイスとしての使用のための、請求項１〜７のいずれか１項記載の医薬組成物。
【請求項９】
埋め込み型又は注射用のマイクロ−及びナノ粒子デバイスとしての、請求項８に記載の医薬組成物。
【請求項１０】
生物分解性ポリマーを含んでなる、請求項９に記載の医薬組成物。
【請求項１１】
前記生分解性ポリマーが、PLGA、PLA、PGA、カプロラクトン及びこれらのポリマーとリポソームの組み合わせからなる群から選択される、請求項１０に記載の医薬組成物。
【請求項１２】
Mas Gタンパク質結合受容体アンタゴニスト及び／又はアゴニストの使用であって、筋萎縮における筋肉分化、成熟、及び、再生における変化を含む病気の研究、予防及び治療、そして老化により生じる器官の変化の予防又は治療、そしてエルゴジェニックな援助のための医薬組成物の製造における使用。
【請求項１３】
請求項１２に記載のMas Gタンパク質結合受容体アンタゴニスト及び／又はアゴニストの使用であって、悪液質、癌、AIDS、多数の因子によるベッドへの長期の拘束、糖尿病、コルチコイドの慢性的使用並びに筋萎縮に導く様々な神経学的症候群、外傷及び変性疾患の研究、予防及び治療のための医薬組成物の製造における使用。
【請求項１４】
Mas Gタンパク質結合受容体アンタゴニスト及び／又はアゴニストの使用であって、Mas受容体の発現の減少並びにMas受容体アゴニストの血漿及び組織レベルの減少に関連する、循環器疾患及びその合併症、自己免疫疾患、アンギオテンシン変換酵素のDD型などの遺伝子多型の結果としての病気、心筋梗塞などの器官及び組織における虚血事象に関連した合併症、そして温血動物における老化により生じる器官の変化の研究、予防又は治療のための医薬組成物の製造における使用。
【請求項１５】
請求項１４に記載のMas Gタンパク質結合受容体アンタゴニスト及び／又はアゴニストの使用であって、心筋梗塞、創傷、やけど、紅斑症、腫瘍、I型及びII型糖尿病並びにその合併症、男性の生殖系（精子形成、精子の運動性、勃起の機能不全）及び女性生殖系及び胚形成の障害、呼吸器疾患、腎障害、胃腸障害、婦人科の障害、血管新生、脱毛症、血液疾患及び血管形成（腔内プロステーシス、及び血管形成後の再狭窄）、血液の急性発作の障害の研究、予防及び治療のための医薬組成物の製造における使用。
【請求項１６】
Mas Gタンパク質結合受容体アンタゴニスト及び／又はアゴニストの使用であって、内皮の機能不全を結果として伴う病気の、活性酸素種の減少を含む、研究、予防及び治療のための医薬組成物の製造における使用。
【請求項１７】
請求項１６に記載のMas Gタンパク質結合受容体アンタゴニスト及び／又はアゴニストの使用であって、循環器疾患、腎臓病、多重メタボリック症候群、勃起不全及び中枢神経系の病気の、研究、予防及び治療のための医薬組成物の製造における使用。
【請求項１８】
Mas Gタンパク質結合受容体アンタゴニスト及び／又はアゴニストの使用であって、活性酸素種の減少と結果としての内皮の機能不全の改善を含む遺伝子治療のための医薬組成物の製造における使用。
【請求項１９】
請求項１８に記載のMas Gタンパク質結合受容体アンタゴニスト及び／又はアゴニストの使用であって、循環器疾患（全身性及び肺の高血圧、妊娠高血圧、アテローム性動脈硬化、血栓症、心筋梗塞、心不全など）、腎臓病、多重メタボリック症候群、勃起不全、中枢神経系の病気、血管炎の治療のための医薬組成物の製造における使用。
【請求項２０】
Mas Gタンパク質結合受容体アンタゴニスト及び／又はアゴニストの使用であって、皮膚の損傷、創傷、火傷、紅斑症、腫瘍の研究、予防及び治療のため、器官移植、胚性又は非胚性幹細胞による治療、器官及び他の組織の再移植、並びに、アポトーシス活性の一時的又は慢性的な低下を必要とする他の治療のための補助的処置として、生殖系の障害、気管支疾患、腎障害、胃腸障害、婦人科の障害、血管新生、脱毛症、血液疾患及び血管形成、放射線治療後の血液の急性発作の障害、記憶及び学習障害の予防及び治療のための、そして温血動物における老化により生じる器官の変化の予防又は治療のための医薬組成物の製造における使用。
【請求項２１】
Mas Gタンパク質結合受容体アンタゴニスト及び／又はアゴニストの使用であって、アポトーシス活性の慢性的な低下、生殖系の障害、気管支疾患、腎障害、胃腸障害、婦人科の障害、血管新生、脱毛症、血液疾患及び血管形成、放射線治療後の血液の急性発作の障害、記憶及び学習障害の治療、そして温血動物における老化により生じる器官の変化の予防又は治療のための医薬組成物の製造における使用。
【請求項２２】
Mas Gタンパク質結合受容体アンタゴニスト及び／又はアゴニストの使用であって、器官移植、胚性又は非胚性幹細胞による治療、器官及び組織の再移植、並びに、アポトーシス活性の一時的又は慢性的な低下を必要とする他の治療のための補助的処置として、そして、温血動物における老化により生じる器官の変化の予防又は治療のための医薬組成物の製造における使用。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
真菌感染及び/又は原生生物感染を予防又は治療する医薬の製造のための、アポリポタンパク質の硫酸ヘパランプロテオグリカン（HSPG）レセプター結合領域に由来するペプチドの反復を含むポリペプチド、その誘導体又は類似体の使用。
【請求項２】
ペプチドが、アポリポタンパク質B又はアポリポタンパク質Eの硫酸ヘパランプロテオグリカン（HSPG）レセプター結合領域に由来する、請求項1に記載の使用。
【請求項３】
ペプチドが、アポリポタンパク質B LDLレセプター結合ドメインクラスターB又はアポリポタンパク質E LDLレセプター結合ドメインクラスターBに由来する、請求項1又は2に記載の使用。
【請求項４】
ポリペプチドが少なくとも2つのRKRモチーフを含む、請求項1から3のいずれか1項に記載の使用。
【請求項５】
ポリペプチドが、配列番号:5、配列番号:6、配列番号:7又はその誘導体の直列ダイマー反復を含み、前記配列において、RKRモチーフ以外の少なくとも1つのアミノ酸残基が、アルギニン（R）、チロシン（Y）、メチオニン（M）、イソロイシン（I）、フェニルアラニン（F）、トリプトファン（W）、システイン（C）又はその誘導体によって置換されている、請求項1から4のいずれか1項に記載の使用。
【請求項６】
置換又は代用される残基が、前記ポリペプチドの第1番目、第2番目、第3番目、第7番目、第8番目、第9番目、第10番目、第11番目、第12番目、第16番目、第17番目又は第18番目の残基である、請求項5に記載の使用。
【請求項７】
少なくとも1つのアミノ酸置換がアルギニン（R）、フェニルアラニン（F）又はトリプトファン（W）残基、又はその誘導体である、請求項5又は6に記載の使用。
【請求項８】
ポリペプチドが下記式をもつ、請求項1から請求項7のいずれか1項に記載の使用：
｛abcRKRxyz｝＋｛a'b'c'RKRx'y'z'｝            （式I）
式中、
a及びa'は、それぞれ独立に、アルギニン（R）、チロシン（Y）、メチオニン（M）、イソロイシン（I）、フェニルアラニン（F）、トリプトファン（W）、ロイシン（L）、リジン（K）、ヒスチジン（H）、システイン（C）から選択されるか、又は欠失されてあり；
b及びb'は、それぞれ独立に、アルギニン（R）、チロシン（Y）、メチオニン（M）、イソロイシン（I）フェニルアラニン（F）、トリプトファン（W）、ロイシン（L）、リジン（K）、システイン（C）から選択されるか、又は欠失されてあり；
c及びc'は、それぞれ独立に、アルギニン（R）、チロシン（Y）、メチオニン（M）、イソロイシン（I）、フェニルアラニン（F）、トリプトファン（W）、ロイシン（L）、リジン（K）、ヒスチジン（H）、スレオニン（T）、システイン（C）から選択されるか、又は欠失されてあり；
x及びx'は、それぞれ独立に、アルギニン（R）、チロシン（Y）、メチオニン（M）、イソロイシン（I）、フェニルアラニン（F）、トリプトファン（W）、ロイシン（L）、リジン（K）、ヒスチジン（H）、グリシン（G）、システイン（C）から選択されるか、又は欠失されてあり；
y及びy'は、それぞれ独立に、アルギニン（R）、チロシン（Y）、メチオニン（M）、イソロイシン（I）、フェニルアラニン（F）、トリプトファン（W）、ロイシン（L）、リジン（K）、ヒスチジン（H）、システイン（C）から選択されるか、又は欠失されてあり；
z及びz'は、それぞれ独立に、アルギニン（R）、チロシン（Y）、メチオニン（M）、イソロイシン（I）、フェニルアラニン（F）、トリプトファン（W）、ロイシン（L）、リジン（K）、ヒスチジン（H）、システイン（C）から選択されるか、又は欠失されてある。
【請求項９】
ポリペプチドが少なくとも1つの追加アミノ酸を含み、前記追加アミノ酸はそれぞれ独立に、アルギニン（R）、チロシン（Y）、メチオニン（M）、イソロイシン（I）、フェニルアラニン（F）、トリプトファン（W）、ロイシン（L）、リジン（K）、ヒスチジン（H）から選択することができ、さらに前記追加アミノ酸が、式Iのペプチド中で位置aのアミノ酸の前のN-末端に付加される、請求項8に記載の使用。
【請求項１０】
ポリペプチドが、ペプチドアポE141-149（配列番号:5）又はその変種の反復を含む、請求項１から9のいずれか1項に記載の使用。
【請求項１１】
直列反復が、トリプトファン（W）、アルギニン（R）、リジン（K）、チロシン（Y）又はフェニルアラニン（F）置換からそれぞれ独立に選択される少なくとも2つの置換を含む、請求項10に記載の使用。
【請求項１２】
ポリペプチドが、配列配列番号:8−34のいずれか1つに記載のアミノ酸配列を含む、請求項10又は11に記載の使用。
【請求項１３】
ポリペプチドが、アポBのHSPGレセプター結合領域由来のペプチドの反復を含む、請求項1から9のいずれか1項に記載の使用。
【請求項１４】
ポリペプチドがヒトのアポリポタンパク質B LDLレセプター結合ドメインクラスターBに由来する、請求項13に記載の使用。
【請求項１５】
ポリペプチドが、アポB3359-3367（配列番号:6）又はその短縮型若しくは変種の反復を含む、請求項13又は14に記載の使用。
【請求項１６】
ポリペプチドが、配列番号:36−55のいずれか1つに記載のアミノ酸配列を含む、請求項13から15のいずれか1項に記載の使用。
【請求項１７】
医薬が子嚢菌類感染の予防又は治療用である、請求項１から16のいずれか1項に記載の使用。
【請求項１８】
医薬がアスペルギルス種、カンジダ種及びフザリウム種から成る群からそれぞれ独立に選択される真菌による感染の予防又は治療用である、請求項1から17のいずれか1項に記載の使用。
【請求項１９】
医薬が肉質虫亜門の感染の予防又は治療用である、請求項１から18のいずれか1項に記載の使用。
【請求項２０】
医薬がプラスモディウム種又はアカントアメーバ種による感染の予防又は治療用である、請求項１から19のいずれか1項に記載の使用。
【請求項２１】
請求項1−16のいずれか1項中で規定されるポリペプチド又はその誘導体若しくは類似体の治療的に有効な量を含む、真菌感染及び/又は原生生物感染の予防及び/又は治療用医薬組成物。
【請求項２２】
真菌汚染及び/又は原生生物汚染を防止及び/又は処置する方法であって、その必要がある物体又は表面を、真菌又は原生生物の殺滅又は増殖防止に有効な量の、請求項１から21のいずれか1項に記載のポリペプチドで被覆することを含む、前記方法。
【請求項２３】
医療装置、レンズ、コンタクトレンズ、カテーテル、ステント、創傷治療包帯、避妊具、外科用インプラント及び代用関節から選択される物体が被覆される、請求項22に記載の方法。
【請求項２４】
病院の病室表面、手術教室の表面、台所の表面及び公衆便所の表面から選択される表面が被覆される、請求項22に記載の方法。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
(i)リポソーム；および
(ii)SEQ ID NO：1のアミノ酸配列、およびSEQ ID NO：2のアミノ酸配列からなる群より選択されるアミノ酸配列を含む少なくとも一つのポリペプチド；
を含む、MUC-1ベースの製剤であって、
以下の段階によって、非小細胞肺癌を有する被験体を処置するための製剤：
(a)処置のために、非小細胞肺癌を有する被験体を選択する段階であって、ここで、被験者がHLAタイプされ、A02、A11、DQB1-06、DRB1-04、DQB1-05、DRB1-15、DRB1-07、DRB4およびDRB5から選択されるHLAハプロタイプを有し、および、
(b)ある期間にわたって、MUC-1ベースの製剤を被験体に投与する段階。
【請求項２】
(i)リポソーム；および
(ii)SEQ ID NO：1のアミノ酸配列、およびSEQ ID NO：2のアミノ酸配列からなる群より選択されるアミノ酸配列を含む少なくとも一つのポリペプチド；
を含む、MUC-1ベースの製剤の使用であって、
以下の段階によって、非小細胞肺癌を有する被験体を処置するための薬剤を調製するためのMUC-1ベースの製剤の使用：
(a)処置のために、非小細胞肺癌を有する被験体を選択する段階であって、ここで、被験者がHLAタイプされ、かつA02、A11、DQB1-06、DRB1-04、DQB1-05、DRB1-15、DRB1-07、DRB4およびDRB5から選択されるHLAハプロタイプを有し、および、
(b)ある期間にわたって、MUC-1ベースの製剤を被験体に投与する段階。
【請求項３】
製剤が少なくとも一つのアジュバントをさらに含む、請求項1または2記載のMUC-1ベースの製剤、または使用。
【請求項４】
アジュバントが、リピドA、ムラミルジペプチド、ミョウバン、サイトカイン、およびそれらの組み合わせからなる群より選択される、請求項3記載のMUC-1ベースの製剤、または使用。
【請求項５】
リピドAが、モノホスホリルリピドAである、請求項4記載のMUC-1ベースの製剤、または使用。
【請求項６】
サイトカインがインターロイキン2である、請求項4記載のMUC-1ベースの製剤、または使用。
【請求項７】
処置した被験体を評価する段階(c)をさらに含む、請求項1〜6のいずれか一項記載のMUC-1ベースの製剤、または使用。
【請求項８】
処置した被験体を評価する段階が、(i)段階(b)の期間の前；(ii)段階(b)の期間の間；(iii)段階(b)の期間の後；または(iv)それらの組み合わせにおいて実施される、請求項7記載のMUC-1ベースの製剤、または使用。
【請求項９】
処置した被験体を評価する段階が、処置した被験体の免疫反応を測定する段階を含む、請求項7または8記載のMUC-1ベースの製剤、または使用。
【請求項１０】
処置した被験体における免疫反応を測定する段階が、T細胞増殖を測定する段階を含む、請求項9記載のMUC-1ベースの製剤、または使用。
【請求項１１】
被験体が、ステージIIIB局所領域性、ステージIIIB癌性胸水、またはステージIV非小細胞肺癌を有すると診断される、請求項1〜10のいずれか一項記載のMUC-1ベースの製剤、または使用。
【請求項１２】
製剤が以下を含むBLP25リポソームワクチンである、請求項1〜11のいずれか一項記載のMUC-1ベースの製剤、または使用：
(a)SEQ ID NO：1または2の配列を含むMUC-1ペプチド；
(b)1つまたは複数のアジュバント、および
(c)1つまたは複数のさらなるリポソーム脂質。
【請求項１３】
BLP25リポソームワクチンがキットにて提供される、請求項12記載のMUC-1ベースの製剤、または使用。
【請求項１４】
投与する段階が、注射、エアゾール、経鼻、膣内、直腸内、頬側、眼内、局部、局所、嚢内、腹腔内、または経口送達によって行われ、該注射は、筋肉内、静脈内、皮下、結節内、腫瘍内、腹腔内、または皮内注射である、請求項1〜13のいずれか一項記載のMUC-1ベースの製剤、または使用。
【請求項１５】
期間が、少なくとも約2週間、少なくとも約4週間、少なくとも約8週間、少なくとも約16週間、少なくとも約17週間、少なくとも約18週間、少なくとも約19週間、少なくとも約20週間、少なくとも約24週間、少なくとも約28週間、少なくとも約32週間、少なくとも約36週間、少なくとも約40週間、少なくとも約44週間、少なくとも約48週間、少なくとも約52週間、少なくとも約60週間、少なくとも約68週間、少なくとも約72週間、少なくとも約80週間、少なくとも約88週間、少なくとも約96週間、および少なくとも約104週間からなる群より選択される、請求項1〜14のいずれか一項記載のMUC-1ベースの製剤、または使用。
【請求項１６】
個体が、(b)の前にシクロホスファミドで処置される、請求項1〜15のいずれか一項記載のMUC-1ベースの製剤、または使用。
【請求項１７】
期間が、少なくとも約6ヶ月、少なくとも約12ヶ月、少なくとも約18ヶ月、少なくとも約24ヶ月であるか、または24ヶ月よりも長い、請求項12記載のMUC-1ベースの製剤、または使用。
【請求項１８】
MUC-1ペプチドの量が約300μgである、請求項12記載のMUC-1ベースの製剤、または使用。
【請求項１９】
アジュバントがリピドAである、請求項12に記載のMUC-1ベースの製剤、または使用。
【請求項２０】
リピドAの量が約150μgである、請求項19記載のMUC-1ベースの製剤、または使用。
【請求項２１】
追加のリポソーム脂質の量が約15mgである、請求項12記載のMUC-1ベースの製剤、または使用。
【請求項２２】
MUC-1ペプチドがSEQ ID NO：1に記載された配列を含む、請求項12記載のMUC-1ベースの製剤、または使用。
【請求項２３】
MUC-1ペプチドがSEQ ID NO：2に記載された配列を含む、請求項12記載のMUC-1ベースの製剤、または使用。
【請求項２４】
MUC-1ペプチドが脂質付加されている、請求項22記載のMUC-1ベースの製剤、または使用。
【請求項２５】
被験者がMUC-1を発現する癌細胞を有し、ここで被験者が、被験者の血清中において循環する高レベルのMUC-1を有していない、請求項１または2記載のMUC-1ベースの製剤、または使用。
【請求項２６】
被験者がHLAハプロタイプA02を有する、請求項1または2記載のMUC-1ベースの製剤、または使用。
【請求項２７】
被験者がHLAハプロタイプA11を有する、請求項1または2記載のMUC-1ベースの製剤、または使用。
【請求項２８】
被験者がHLAハプロタイプDQB1-05を有する、請求項1または2記載のMUC-1ベースの製剤、または使用。
【請求項２９】
被験者がHLAハプロタイプDRB1-04を有する、請求項1または2記載のMUC-1ベースの製剤、または使用。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
１００℃より高い熱変形温度（ＨＤＴ，ＡＳＴＭ  Ｄ６４８，０．４５５ＭＰａ）および１９３０ＭＰａより大きい曲げ弾性率（ＡＳＴＭ  Ｄ７９０，１％割線弾性率）を有するポリオレフィン組成物から形成された少なくとも１つの構成要素を含む自動車部品であって、前記組成物が、
Ａ）１９３０ＭＰａより大きい曲げ弾性率（ＡＳＴＭ  Ｄ７９０，１％割線弾性率）および１００℃より高いＨＤＴ（ＡＳＴＭ  Ｄ６４８，０．４５５ＭＰａ）を有する、結晶質アイソタクティックプロピレンホモポリマー；
Ｂ）−３０℃より低いＴｇ、０．１ラジアン／秒で１９０℃で測定された２より小さいタンデルタ(tan delta)、示差走査熱分析によって測定されたエチレン／α−オレフィン共重合体のピーク溶融温度以上のＨＤＴ（ＡＳＴＭ  Ｄ６４８，０．４５５ＭＰａ）を有する、エチレン／α−オレフィン共重合体；および
Ｃ）板状フィラー
を含み、ホモポリマー：共重合体（Ａ：Ｂ）の重量比が、９：１と６：４の間である、自動車部品。
【請求項２】
前記プロピレンホモポリマーが、２０７０ＭＰａより大きい曲げ弾性率および１１０℃より高いＨＤＴを有する、請求項１に記載の自動車部品。
【請求項３】
前記プロピレンホモポリマーが、２２１０ＭＰａより大きい曲げ弾性率および１２０℃より高いＨＤＴを有する、請求項１に記載の自動車部品。
【請求項４】
前記エチレン／α−オレフィン共重合体のα−オレフィンが、Ｃ３〜Ｃ２０のα−オレフィンである、請求項１に記載の自動車部品。
【請求項５】
前記エチレン／α−オレフィン共重合体のα−オレフィンが、プロピレン、１−ブテン、１−ヘキセンおよび１−オクテンから成る群より選択される、請求項１に記載の自動車部品。
【請求項６】
前記フィラーが、板状タルクである、請求項１に記載の自動車部品。
【請求項７】
前記組成物が、３またはそれ以上の曲げ弾性率効率係数および１．５またはそれ以上のＨＤＴ効率係数を有するように、十分な量の前記フィラーを含み、ここで、前記曲げ弾性率効率係数はフィラー充填パーセントに対する弾性率の増加パーセントであり、前記ＨＤＴ効率係数はフィラー充填パーセントに対するＨＤＴの増加パーセントである、請求項６に記載の自動車部品。
【請求項８】
前記エチレン／α−オレフィン共重合体が、−４０℃より低いＴｇを有する、請求項４に記載の自動車部品。
【請求項９】
前記エチレン／α−オレフィン共重合体のＨＤＴと融点Ｔｍとの差が、少なくとも４である、請求項８に記載の自動車部品。
【請求項１０】
前記エチレン／α−オレフィン共重合体のＨＤＴと融点Ｔｍとの差が、少なくとも８である、請求項８に記載の自動車部品。
【請求項１１】
前記エチレン／α−オレフィン共重合体の１９０℃および０．１０ラジアン／秒で測定されたタンデルタが、２またはそれ以下である、請求項８に記載の自動車部品。
【請求項１２】
衝撃性改質剤(impact modifier)の１９０℃および０．１０ラジアン／秒で測定されたタンデルタが、１．８またはそれ以下である、請求項８に記載の自動車部品。
【請求項１３】
前記組成物の総重量に基づき３０重量パーセントのタルクを含む、請求項８に記載の自動車部品。
【請求項１４】
前記組成物が、顔料、引掻きおよび傷防止剤ならびにこれらの組み合わせから成る群より選択される少なくとも１つの添加剤をさらに含む、請求項１に記載の自動車部品。
【請求項１５】
インストルメントパネル、ドアパネル、ダッシュボード、バランスパネル(valence panel)、ボディーサイドモールディング、トリムモールディング、アームレスト、サンバイザー、コンパートメントケース(compartment case)および絶縁マットから成る群より選択される、請求項１に記載の自動車部品。
【請求項１６】
ポリプロピレンホモポリマー、エチレン／α−オレフィン共重合体および板状フィラーを含む組成物を射出成形することを含む、請求項１に記載の自動車部品の製造方法。
【請求項１７】
「プロピレンホモポリマーとエチレン／α−オレフィン共重合体とフィラーの合計重量」に基づくフィラーの重量パーセントが、「プロピレンホモポリマーとエチレン／α−オレフィン共重合体の合計重量」に基づくエチレン／α−オレフィン共重合体の重量パーセントより大きい、請求項１に記載の自動車部品。
【請求項１８】
前記組成物が、１つまたはそれ以上の他の異なるエチレン／α−オレフィン共重合体をさらに含む、請求項１に記載の自動車部品。
【請求項１９】
「プロピレンホモポリマーとエチレン／α−オレフィン共重合体と１つまたはそれ以上の他の異なるエチレン／α−オレフィン共重合体とフィラーの合計重量」に基づくフィラーの重量パーセントが、「プロピレンホモポリマーとエチレン／α−オレフィン共重合体と１つまたはそれ以上の他の異なるエチレン／α−オレフィン共重合体の合計重量」に基づくエチレン／α−オレフィン共重合体および１つまたはそれ以上の他の異なるエチレン／α−オレフィン共重合体の重量パーセントより大きい、請求項１８に記載の自動車部品。
【請求項２０】
前記少なくとも１つの構成要素が、射出成形によって形成される、請求項１に記載の自動車部品。
【請求項２１】
前記射出成形が、ＰＣ／ＡＢＳ樹脂用に設計された成形型を使用して行われる、請求項２０に記載の自動車部品。
【請求項２２】
インストルメントパネルである、請求項１に記載の自動車部品。
【請求項２３】
ドアパネルである、請求項１に記載の自動車部品。
【請求項２４】
射出成形によって形成される部品であって、ｘ−ｙ方向のその部品の「離型後の（out-of-tool）」収縮が、その成形型キャビティー(tool cavity)内部でのｘ−ｙ方向のその部品の収縮量の１０パーセントまたはそれ以下である、請求項１に記載の自動車部品。
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
基材および金属鉄を含む被覆を備える顔料。
【請求項２】
最外層として酸化鉄含有被覆を有し、所望により追加の１以上の層で被覆されている基材を、窒素および水素を含む還元ガス混合物中で反応させ、金属鉄を生成させ、所望によって、１以上の追加の層でさらに被覆することにより得られる請求項１に記載の顔料。
【請求項３】
鉄含有被覆中の金属鉄の割合が、鉄含有被覆を基準として１０〜１００重量％であることを特徴とする請求項１に記載の顔料。
【請求項４】
鉄含有被覆中の金属鉄が、ＦｅＯおよび／またはＦｅ3Ｏ4との組合せで存在することを特徴とする請求項１から３のいずれか一項に記載の顔料。
【請求項５】
基材が酸化チタン、合成もしくは天然雲母、フィロケイ酸塩、ガラス、ＳｉＯ2、Ａｌ2Ｏ3、黒鉛、および／またはＢｉＯＣｌを含むことを特徴とする請求項１から４のいずれか一項に記載の顔料。
【請求項６】
基材が薄片状であることを特徴とする請求項１から５のいずれか一項に記載の顔料。
【請求項７】
金属酸化物、金属酸化物水和物、金属亜酸化物、金属、金属フッ化物、金属窒化物、金属酸窒化物、および／またはこれらの混合物を含む１以上の層が、金属鉄を含む被覆と基材との間に更に存在することを特徴とする請求項１から６のいずれか一項に記載の顔料。
【請求項８】
金属酸化物、金属酸化物水和物、金属亜酸化物、金属フッ化物、金属窒化物、金属酸窒化物、および／またはこれらの混合物を含む１以上の層が、金属鉄を含む被覆上に更に存在することを特徴とする請求項１から７のいずれか一項に記載の顔料。
【請求項９】
その外層として追加の無機および／または有機被覆を更に備えていることを特徴とする請求項１から８のいずれか一項に記載の顔料。
【請求項１０】
最外層として酸化鉄含有被覆を有し、所望により追加の１以上の層で被覆されている基材を、窒素および水素を含む還元ガス混合物中反応させて、金属鉄を生成させ、所望により１以上の追加の層で被覆する、請求項１から９のいずれか一項に記載の顔料の製造方法。
【請求項１１】
窒素および水素を含むガス混合物中の水素の割合が２．５〜２５体積％であることを特徴とする請求項１０に記載の方法。
【請求項１２】
４００〜１０００℃の温度で還元を実施することを特徴とする請求項１０または１１に記載の方法。
【請求項１３】
無機および／または有機被覆を外層として更に施すことを特徴とする請求項１０から１２のいずれか一項に記載の方法。
【請求項１４】
化粧品、表面被覆、インク、プラスチック、フィルムにおける、セキュリティ用途における、種子の着色における、食品の着色における、レーザーマーキングにおける、または医薬品の被覆における、または顔料組成物および乾燥調合剤の製造のための請求項１から９のいずれか一項に記載の顔料の使用。
【請求項１５】
請求項１から９のいずれか一項に記載の顔料が、有機もしくは無機染料および／または顔料を有する混合物中に存在することを特徴とする請求項１４に記載の使用。
【請求項１６】
有価証券、特に銀行券、小切手、クレジットカード、株券、パスポート、本人確認書類、アクセス認可身分証明書、運転免許証、入場券、収入印紙、郵便切手、ラベル、シール、包装材料、特に医薬品、食品、香水、たばこの包装、または日用品、特に衣類、靴、家庭用品、家庭用電化製品が、請求項１から９のいずれか一項に記載の少なくとも１種の顔料を含む少なくとも１種のセキュリティ特性を備えていることを特徴とする請求項１４に記載のセキュリティ用途。
【請求項１７】
セキュリティ特性が、請求項１から９のいずれか一項に記載の少なくとも１種の顔料を含む印刷インクを使用して印刷される印刷セキュリティ特性であることを特徴とする請求項１６に記載のセキュリティ用途。
【請求項１８】
セキュリティ特性が、請求項１から９のいずれか一項に記載の顔料を、紙、ボード、ボール紙、および／またはプラスチックのベース材料に直接混合し、それらの中およびそれらから製造された最終製品中にランダムに分配することからなることを特徴とする請求項１６に記載のセキュリティ用途。
【請求項１９】
セキュリティ特性が機械可読性であることを特徴とする請求項１６から１８のいずれか一項に記載のセキュリティ用途。
【請求項２０】
請求項１から９のいずれか一項に記載の少なくとも１種の顔料を含む少なくとも１種のセキュリティ特性を備えている、有価証券、具体的には銀行券、小切手、クレジットカード、株券、パスポート、本人確認書類、アクセス認可身分証明書、運転免許証、入場券、収入印紙、郵便切手、ラベル、シール、包装材料、具体的には医薬品、食品、香水、たばこの包装、または日用品、具体的には衣類、靴、家庭用品、家庭用電化製品。
【請求項２１】
同種のまたは異種の少なくとも１種の更なるセキュリティ特性を備えている請求項２０に記載の有価証券、特に銀行券、小切手、クレジットカード、株券、パスポート、本人確認書類、アクセス認可身分証明書、運転免許証、入場券、収入印紙、郵便切手、ラベル、シール、包装材料、特に医薬品、食品、香水、たばこの包装、または日用品、特に衣類、靴、家庭用品、家庭用電化製品。
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
一般式Ｉで表されることを特徴とする化合物。
【化１】
2008546810.tif 000001
上記一般式Ｉにおいて、Ｒは水素原子でありかつＲ１はヒドロキシル基もしくはアシルオキシ基であるか、または
Ｒはアシル基でありかつＲ１はヒドロキシル基もしくはアシルオキシ基であり、
Ｘは硫黄原子、酸素原子またはＮＲ１０であり、Ｒ１０は水素原子または炭素数１〜４のアルキル基であり；
Ｙは硫黄原子または酸素原子であり；
Ｒ２は水素原子または１つ以上の置換体、例えば（プレウロ）ムチリンが属する有機化学分野で従来公知の置換基を含む置換体であり；
Ｒ４は水素原子または炭素数１〜４のアルキル基であり；
Ｒ５は水素原子または炭素数１〜４のアルキル基であり；
Ｒ３およびＲ３’は水素原子、重水素またはハロゲン原子であり；
Ｒ６、Ｒ７およびＲ８は水素原子、ハロゲン原子または重水素であり；
ｍは０〜４より選択された数字であり、
ｎは０〜１０より選択された数字であり、かつ
ｐは０〜１０より選択された数字である；
ただし、ｎ＋ｐは少なくとも１である。
【請求項２】
上記一般式Ｉにおいて、Ｒ２、Ｒ３、Ｒ３’、Ｒ４、Ｒ５、Ｒ６およびＲ７は水素原子であり、
Ｘは酸素原子であり、
Ｙは硫黄原子であり、
ｍは０〜４より選択された数字であり、好ましくは、ｍは０であり、
ｎは０〜８、好ましくは０〜７より選択された数字であり、
ｐは０〜８、好ましくは０〜７より選択された数字であり、
ｎ＋ｐは少なくとも２、好ましくは９未満、より好ましくはｎ＋ｐは３または４であることを特徴とする請求項１に記載の化合物。
【請求項３】
１４−Ｏ−［（（ヒドロキシまたはアシルオキシ−アミノ）−シクロアルキルスルファニルまたはシクロアルキル−オキシ）−アセチル、チオアセチルまたはイミノ−オキシ］−ムチリン、
１４−Ｏ−［（（アシル−ヒドロキシまたはアシル−アシルオキシ−アミノ）−シクロアルキルスルファニルまたはシクロアルキル−オキシ）−アセチル、チオアセチルまたはイミノ−オキシ］−ムチリン、
１４−Ｏ−［（（ヒドロキシまたはアシルオキシ−アミノ−シクロアルキル）−アルキルスルファニルまたはアルキル−オキシ）−アセチル、チオアセチルまたはイミノ−オキシ］−ムチリン、
１４−Ｏ−［（（（アシル−ヒドロキシまたはアシル−アシルオキシ−アミノ）−シクロアルキル）−アルキルスルファニルまたはアルキル−オキシ）−アセチル、チオアセチルまたはイミノ−オキシ］−ムチリン、
１４−Ｏ−［（（ヒドロキシまたはアシルオキシ−アミノ−シクロアルキルオキシ）−アルキルスルファニルまたはアルキル−オキシ）−アセチル、チオアセチルまたはイミノ−オキシ］−ムチリン、および
１４−Ｏ−［（（（アシル−ヒドロキシまたはアシル−アシルオキシ−アミノ）−シクロアルキルオキシ）−アルキルスルファニルまたはアルキル−オキシ）−アセチル、チオアセチルまたはイミノ−オキシ］−ムチリンからなる群より選択されることを特徴とする請求項１または２に記載の化合物。
【請求項４】
［（ヒドロキシまたはアシルオキシ−アミノ）−シクロアルキルスルファニル］−酢酸ムチリン−１４−ｙｌ−エステルおよび［（アシル−ヒドロキシまたはアシル−アシルオキシ−アミノ）−シクロアルキルスルファニル］−酢酸ムチリン−１４−ｙｌ−エステルからなる群より選択されることを特徴とする請求項１〜３のいずれか１項に記載の化合物。
【請求項５】
［３−（ヒドロキシアミノ）−シクロペンチルスルファニル］−酢酸ムチリン−１４−ｙｌ−エステル、
［３−（ヒドロキシアミノ）−シクロヘキシルスルファニル］−酢酸ムチリン−１４−ｙｌ−エステル、
［３−（ホルミル−ヒドロキシ−アミノ）−シクロペンチルスルファニル］−酢酸ムチリン−１４−ｙｌ−エステル、
［３−（ホルミル−ヒドロキシ−アミノ）−シクロヘキシルスルファニル］−酢酸ムチリン−１４−ｙｌ−エステル、
［３−（アセチル−アセトキシ−アミノ）−シクロヘキシルスルファニル］−酢酸ムチリン−１４−ｙｌ−エステル、
［３−（アセトキシアミノ）−シクロヘキシルスルファニル］−酢酸ムチリン−１４−ｙｌ−エステル、
［３−（イソブチリルオキシアミノ）−シクロヘキシルスルファニル］−酢酸ムチリン−１４−ｙｌ−エステル、および
［３−（ピバリル（Ｐｉｖａｌｏｙｌ）オキシアミノ）−シクロヘキシルスルファニル］−酢酸ムチリン−１４−ｙｌ−エステルからなる群より選択されることを特徴とする請求項１〜４のいずれか１項に記載の化合物。
【請求項６】
塩および／または溶媒化合物の形であることを特徴とする請求項１〜５のいずれか１項に記載の化合物。
【請求項７】
医薬品用であることを特徴とする請求項１〜６のいずれか１項に記載の化合物。
【請求項８】
請求項１〜６のいずれか１項に記載の化合物を含むことを特徴とする細菌によって引き起こされる病気の処置のための薬。
【請求項９】
請求項１〜６のいずれか１項に記載の化合物を、少なくとも補形薬とともに用いることを特徴とする医薬品の合成方法。
【請求項１０】
さらに、活性薬剤を用いることを特徴とする請求項９に記載の医薬品の合成方法。
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
ヒスチジン緩衝液中に、A4B4L1FR-S28Rの可変重鎖(VH)ドメイン(配列番号48)を有する重鎖およびA4B4L1FR-S28Rの可変軽鎖(VL)ドメイン(配列番号11)を有する軽鎖を含む完全長IgG1抗体を少なくとも75mg/ml含む安定した抗体製剤であって、前記製剤が、38〜42℃、pH5.0〜7.0、1カ月での保存に際して、1つまたは複数の抗体I型断片および1つまたは複数の抗体II型断片を含む、前記抗体製剤。
【請求項２】
1つまたは複数の抗体I型断片および1つまたは複数の抗体II型断片が、サイズ排除クロマトグラフィー(SEC)によって決定された前記製剤の4%以下の全断片タンパク質画分を含む、請求項1に記載の製剤。
【請求項３】
前記抗体I型断片が前記重鎖の1つまたは複数のC末端部分を含み、脱グリコシル化、還元およびアルキル化された前記保存した抗体の試料の液体クロマトグラフィー質量分析(LC-MS)分析によって決定された前記重鎖C末端部分の分子量が約25.6kD、約25.7kD、約25.8kD、約26.0kD、または約26.1kDである、請求項1に記載の製剤。
【請求項４】
前記抗体II型断片が前記重鎖の1つまたは複数のN末端部分を含み、脱グリコシル化、還元およびアルキル化された前記保存した抗体の試料のLC-MS分析によって決定された前記重鎖N末端部分の分子量が約24.4kD、約24.6kD、約24.7kD、約24.9kD、または約25.1kDである、請求項1に記載の製剤。
【請求項５】
前記製剤の38〜42℃、pH5.0〜7.0、1カ月での保存に際して、UV検出を備えたサイズ排除クロマトグラフィー(SEC)によって決定された前記製剤の全タンパク質画分のうちの5%未満が抗体凝集体を含む、請求項1に記載の製剤。
【請求項６】
前記製剤の38〜42℃、pH5.0〜7.0、1カ月での保存に際して、前記製剤の脱気した試料の濁度値が約6.4NTUである、請求項1に記載の製剤。
【請求項７】
前記製剤の38〜42℃、pH5.0〜7.0、1カ月での保存に際して、前記製剤が、マルチサイザーによって決定された、直径2〜4μmが約3.4E+5未満の粒子/ml、直径4〜10μmが約4.0E+4未満の粒子/ml、直径10〜20μmが約4.2E+3未満の粒子/ml、直径20〜30μmが約5.0E+2未満の粒子/ml、直径30〜40μmが約7.5E+1未満の粒子/ml、および直径40〜60μmが約9.4未満の粒子/mlである粒子プロフィールを含む、請求項1に記載の製剤。
【請求項８】
38〜42℃、pH5.0〜7.0、1カ月での保存に際して、前記抗体I型断片が前記重鎖の1つまたは複数のC末端部分を含み、重鎖C末端部分が、カバットナンバリングスキームに従って、前記抗体のアミノ酸残基223〜449;前記抗体のアミノ酸残基224〜449、前記抗体のアミノ酸残基225〜449、前記抗体のアミノ酸残基226〜449、前記抗体のアミノ酸残基227〜449、前記抗体のアミノ酸残基228〜449および前記抗体のアミノ酸残基229〜449を含む、請求項1に記載の製剤。
【請求項９】
38〜42℃、pH5.0〜7.0、1カ月での保存に際して、前記抗体II型断片が前記重鎖の1つまたは複数のN末端部分を含み、重鎖N末端部分が、カバットナンバリングスキームに従って、前記抗体のアミノ酸残基1〜222、前記抗体のアミノ酸残基1〜223、前記抗体のアミノ酸残基1〜224、前記抗体のアミノ酸残基1〜225、前記抗体のアミノ酸残基1〜226、前記抗体のアミノ酸残基1〜227または前記抗体のアミノ酸残基1〜228を含む、請求項1に記載の製剤。
【請求項１０】
ヒスチジン緩衝液の濃度が約10mM〜約50mMである、請求項1に記載の製剤。
【請求項１１】
前記製剤が他の賦形剤を実質的に含まない、請求項1に記載の製剤。
【請求項１２】
前記製剤のpHが約6.0である、請求項1に記載の製剤。
【請求項１３】
前記製剤が無菌である、請求項1に記載の製剤。
【請求項１４】
前記製剤を、乾燥ステップを有さない方法によって製造する、請求項1に記載の製剤。
【請求項１５】
前記製剤が筋肉内投与に適している、請求項1に記載の製剤。
【請求項１６】
請求項1に記載の製剤を含む密封容器。
【請求項１７】
前記製剤が、(a)前記完全長IgG1抗体をコードしているmRNAの転写を指令することができる組換えベクターによる、ネズミ骨髄腫細胞系の形質転換;(b)形質転換細胞の維持;(c)形質転換細胞の培養物からの馴化培地の回収;(c)陽イオン/陰イオン交換クロマトグラフィー;(e)ナノ濾過;および(f)ヒドロキシアパタイトクロマトグラフィーを含むプロセスによって製造および精製した前記完全長IgG1抗体を含む、請求項1に記載の製剤。
【請求項１８】
請求項1から15および17のいずれか一項に記載の製剤を、予防上有効な量で投与することを含む、被験体においてRSV疾患を予防する方法。
【請求項１９】
前記製剤を非経口投与、筋肉内投与、静脈内投与、皮下投与または鼻腔内投与する、請求項18に記載の方法。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
サリチル酸、アゼライン酸、セバシン酸、または２−［（２，６−ジクロロフェニル）アミノ］ベンゼン酢酸、好ましくはサリチル酸を用いて塩を形成しているプレウロムチリン。
【請求項２】
サリチル酸、アゼライン酸、セバシン酸、または２−［（２，６−ジクロロフェニル）アミノ］ベンゼン酢酸、好ましくはサリチル酸を用いて塩を形成している、以下の化学式
【化１】
2008546809.tif 000001
の化合物。
【請求項３】
サリチル酸、アゼライン酸、セバシン酸、または２−［（２，６−ジクロロフェニル）アミノ］ベンゼン酢酸、好ましくはサリチル酸を用いて塩を形成している、以下の化学式
【化２】
2008546809.tif 000002
の化合物。
【請求項４】
サリチル酸、アゼライン酸、セバシン酸、または２−［（２，６−ジクロロフェニル）アミノ］ベンゼン酢酸、好ましくはサリチル酸を用いて塩を形成している、以下の化学式
【化３】
2008546809.tif 000003
の化合物。
【請求項５】
サリチル酸、アゼライン酸、セバシン酸、または２−［（２，６−ジクロロフェニル）アミノ］ベンゼン酢酸、好ましくはサリチル酸を用いて塩を形成している、以下の化学式
【化４】
2008546809.tif 000004
の化合物。
【請求項６】
サリチル酸、アゼライン酸、セバシン酸、または２−［（２，６−ジクロロフェニル）アミノ］ベンゼン酢酸、好ましくはサリチル酸を用いて塩を形成している、１４−Ｏ−［（Ｎ−（（Ｒ）−バリル）−ピペリジン−３（Ｓ）−イル）−スルファニルアセチル］−ムチリンの化合物。
【請求項７】
サリチル酸を用いて塩を形成している、請求項１〜６のいずれか１項に記載の化合物。
【請求項８】
座瘡を処置する調製物に用いる請求項２〜７のいずれか１項に記載の化合物。
【請求項９】
請求項２〜７のいずれか１項に記載の化合物を、少なくとも１つの薬学的な賦形剤と共同して含有する座瘡を処置する薬学的組成物。
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
サイズ範囲が１１ｎｍ〜５００ｎｍの、酸化セリウムナノ粒子。
【請求項２】
動物細胞内でのフリーラジカルによる損傷が原因の病態の低減または解消のために、もしくはこのような病態を防止するために用いられる、動物に対し単回投与量を提供するのに十分な量の、サイズ範囲が１ｎｍ未満から約５００ｎｍである、酸化セリウムナノ粒子。
【請求項３】
前記酸化セリウムナノ粒子が凝集を避けるために超音波処理されたものである、請求項１に記載の酸化セリウムナノ粒子。
【請求項４】
１以上の生物学的に許容される物質をさらに含む、請求項１または２に記載の酸化セリウムナノ粒子を含む組成物。
【請求項５】
前記生物学的に許容される物質が、水、塩、リン酸緩衝生理食塩水および脂質の一つ以上である、請求項４に記載の組成物。
【請求項６】
動物用の栄養補給剤または栄養補助食品である、請求項４に記載の組成物。
【請求項７】
請求項２に記載の酸化セリウムナノ粒子を含む、キット。
【請求項８】
サイズ範囲が１１ｎｍ以上５００ｎｍ以下の酸化セリウムナノ粒子を含む、請求項７のキット。
【請求項９】
被検体の炎症を低減できるだけの十分な量での、少なくとも約１ｎｍ〜５００ｎｍのサイズの酸化セリウムナノ粒子で被覆された、または前記酸化セリウムナノ粒子を含む関節置換物または関節付加材から作製される、医療用人工器官。
【請求項１０】
細胞の寿命を延長させる治療剤を製造するための、請求項１の酸化セリウムナノ粒子の使用。
【請求項１１】
前記酸化セリウムナノ粒子が、ゾル−ゲル法以外の工程で生成されるものである、請求項１０に記載の酸化セリウムナノ粒子の使用。
【請求項１２】
前記酸化セリウムナノ粒子が、被検体の細胞の老化を防止するのに十分な量で治療剤中に存在する、請求項１０に記載の酸化セリウムナノ粒子の使用。
【請求項１３】
細胞内のフリーラジカル損傷を減少させる治療剤を製造するための、１ｎｍ未満から約５００ｎｍのサイズの酸化セリウムナノ粒子の使用。
【請求項１４】
少なくとも１個の細胞を多細胞生物体から除去し、前記細胞を前記生物体に戻す、生体外治療用の治療剤を製造するための、請求項１の酸化セリウムナノ粒子の使用。
【請求項１５】
前記酸化セリウムナノ粒子の前記サイズが１１ｎｍ〜約５０ｎｍである、請求項１０〜１４のいずれかの使用。
【請求項１６】
前記酸化セリウムナノ粒子の前記サイズが４０ｎｍ〜約５００ｎｍである、請求項１０〜１４のいずれかの使用。
【請求項１７】
前記酸化セリウム粒子が約２０ｎｍのサイズである、請求項１０〜１４のいずれかの使用。
【請求項１８】
前記酸化セリウム粒子の９５％以上が約５ｎｍ〜約４０ｎｍのサイズである、請求項１０〜１４のいずれかの使用。
【請求項１９】
前記治療剤が、癌の治療計画の際に放射線に曝露される細胞の放射線防護用、もしくは脳疾患、脊髄疾患、神経外傷、神経変性障害、アルツハイマー病、パーキンソン病、ハンチントン病、筋萎縮性側索硬化症（ＡＬＳ）、多発性硬化症、毒素による損傷、発作、関節炎、関節疾患、アテローム性動脈硬化症、循環器疾患、糖尿病、網膜の疾患、アレルギー、喘息、慢性閉塞性肺疾患、呼吸器の機能不全、自己免疫疾患、炎症または創傷の予防用または治療用である、請求項１０、１３または１４のいずれかの酸化セリウムナノ粒子の使用。
【請求項２０】
細胞の寿命を延長させるのに十分な量で、１１ｎｍから約５００ｎｍのサイズの酸化セリウムナノ粒子に細胞を接触させることを含む、試験管内で細胞の寿命を延長させる方法。
【請求項２１】
細胞内におけるフリーラジカル生成に対する１以上の環境刺激の影響を判断する方法であって、
少なくとも１１ｎｍのサイズの酸化セリウムナノ粒子に少なくとも１個の細胞を接触させ、処理済みの細胞を提供すること、
任意に、同一の細胞であるが、酸化セリウムナノ粒子には接触されていない細胞を対照細胞として提供すること、
前記処理済みの細胞と、場合により提供された対照細胞とについて、フリーラジカルレベルの検出可能な変化を観察すること、
任意に、前記フリーラジカルレベルを前記処理済みの細胞と対照細胞とで比較すること、
を含む方法。
【請求項２２】
前記環境刺激が１以上の化学物質である、請求項２１に記載の方法。
【請求項２３】
免疫系細胞内での免疫応答が原因の病態の低減、解消または予防のために、もしくは免疫系細胞の免疫能力を低減させるために用いられる、動物に対し単回投与量を提供するのに十分な量の、サイズ範囲が１ｎｍ未満から約５００ｎｍである、酸化セリウムナノ粒子。
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
＜１μm、の平均厚さを有する板状ガラス基材、及び
（ａ）高い屈折率を有する誘電体、特に金属酸化物、又は
（ａ）金属層、特に薄い半透明な金属層
を含み、ガラス基材がＴｉＯ2を０．１％超えて有するＥＣＲガラスからなる顔料。
【請求項２】
（ｂ）顔料が、低い屈折率の金属酸化物をさらに含み、屈折率の差が少なくとも０．１である、請求項１記載の顔料。
【請求項３】
高い屈折率の金属酸化物が、ＴｉＯ2、ＺｒＯ2、Ｆｅ2Ｏ3、Ｆｅ3Ｏ4、Ｃｒ2Ｏ3、ＺｎＯ又はこれらの酸化物の混合物又はチタン酸鉄、酸化鉄水和物、亜酸化チタン又はこれらの化合物の混合物及び／又は混合相である、請求項２記載の顔料。
【請求項４】
低い屈折率の金属酸化物が、ＳｉＯ2、Ａｌ2Ｏ3、ＡｌＯＯＨ、Ｂ2Ｏ3又はそれらの混合物であり、アルカリ又はアルカリ土類金属酸化物をさらなる成分として含むことができる、請求項２記載の顔料。
【請求項５】
ガラスコアが、２０〜２２０nmの平均厚さを有する、請求項１〜４いずれか１項記載の顔料。
【請求項６】
Ａｌ2Ｏ3／ＴｉＯ2もしくはＭｇＯ／ＴｉＯ2の混合層、又は誘電層／金属層／誘電層を含む、請求項１又は５記載の顔料。
【請求項７】
ガラスフレークが、ＴｉＯ2の均質なコーティング及び大きな厚さ分布（ガラスフレークの大きなガウス厚さ分布）を有する、請求項１又は２記載の顔料。
【請求項８】
ガラスフレークを、湿式法で対応する水溶性金属化合物の加水分解により、そのようにして得られた顔料を分離し、乾燥し、場合によってはか焼することにより、一つ以上の金属酸化物でコートするか、あるいは
ガラスフレークを、金属化合物の存在で水性及び／又は有機溶媒含有媒体中に懸濁させ、還元剤の添加によって金属化合物をガラスフレークに付着させることによる、請求項１記載の干渉顔料を製造する方法。
【請求項９】
請求項１〜７のいずれか１項記載の顔料で着色された塗料、印刷インク、プラスチック、化粧品、セラミックス及びガラス。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
物品ドライクリーニングのためのシステムにおいて、
前記システムは、
１つ以上の物品を収容するのに適した第１の容器と、
一定体積のシロキサン溶剤を収容するのに適した少なくとも１つの第２の容器と、
前記シロキサン溶剤を濾過するための、濾過媒質でコートを施された少なくとも１つの再生フィルタと、
前記第１の容器、前記少なくとも１つの第２の容器、及び、前記少なくとも１つのフィルタに結合したポンプとを備え、
前記ポンプが、前記一定体積のシロキサン溶剤を前記少なくとも１つの第２の容器から前記第１の容器に、また、前記第１の容器から前記少なくとも１つの第２の容器に送入するのに適しており、前記ポンプが、前記一定体積のシロキサン溶剤を前記第１の容器から前記少なくとも１つのフィルタに送入するのにも適しているシステム。
【請求項２】
前記少なくとも１つの再生フィルタが、ゼオライト及びポリスチレンビーズからなるグループの中から選択された物質である請求項１に記載のシステム。
【請求項３】
前記濾過媒質は活性粘土を備えている請求項１に記載のシステム。
【請求項４】
前記蒸留室がない請求項１〜３のいずれか１項に記載のシステム。
【請求項５】
クリーニングするべき物品を機械に入れる段階と、
シロキサン成分を含むクリーニング流体内で前記物品を浸す段階と、
前記物品を前記シロキサン成分内で攪拌する段階と、
前記シロキサン成分を少なくとも再生フィルタを通過させる段階と、
前記物品から前記シロキサン成分を除去する段階と、
前記物品を乾燥させる段階とを備えている、物品ドライクリーニング方法。
【請求項６】
前記再生フィルタは、シリコーン系白土を備えた濾過媒質を備えている請求項５に記載の方法。
【請求項７】
前記再生フィルタは、ゼオライト及びポリスチレンビーズからなるグループの中から選択された濾過媒質を備えている請求項５に記載の方法。
【請求項８】
活性粘土を備えたコートで前記再生フィルタを再生させるべく、前記再生フィルタにプリコートを施す段階をさらに備えている請求項５又は６に記載の方法。
【請求項９】
前記プリコートを施す段階は、
前記活性粘土及び／又は前記シロキサン成分の低分子化を防ぐべく、前記コートが前記シロキサン成分に予め定めた時間だけさらされた後に、又は、予め定めた回数のクリーニングサイクルの後、又は、予め定めた重量の物品がドライクリーニングされた後に、前記再生フィルタにプリコートを施す段階を備えている、請求項８に記載の方法。
【請求項１０】
前記プリコートを施す段階は、前記活性粘土及び／又は前記シロキサン成分の低分子化を防ぐべく、活性粘土を備えているコートで十分な時間間隔で前記再生フィルタにプリコートを施す段階を備えている請求項８に記載の方法。
【請求項１１】
前記プリコートの前に前記コートを除去する段階をさらに備えている請求項９又は１０に記載の方法。
【請求項１２】
前記機械は、前記シロキサン成分を保持するための容器を備え、
前記再生フィルタは、ハウジングを備え、
前記方法は、前記容器内で前記活性粘土を集めるのを避けるために、前記ハウジングを通気する段階をさらに備えている請求項８、９、１０又は１１に記載の方法。
【請求項１３】
前記シロキサン成分を前記少なくとも一つのフィルタを通して濾過させた後に、不純物を含んだ前記シロキサン成分を第二のフィルタを通過させる段階をさらに備えている請求項５〜１２のいずか１項に記載の方法。
【請求項１４】
他の物品をクリーニングするために除去された前記シロキサン成分を再利用する段階をさらに備えている請求項５〜１３のいずか１項に記載の方法。